(57)【特許請求の範囲】
【請求項１】
少なくとも１つのドアホン子機と、該ドアホン子機からの呼出に応じて応答する複数のインターホン親機と、該インターホン親機に接続され該インターホン親機からの転送呼出に応じて応答するインターホン副親機とを備え、
それぞれのインターホン親機に接続されたインターホン副親機のうち少なくとも１つは、人の存在を検出する人体検出手段を備え、
前記インターホン親機は、前記人体検出手段によって人の存在を検出したインターホン副親機へ優先して前記ドアホン子機からの呼出を転送するようにし、
前記人体検出手段を備えたインターホン副親機に、人体の静止継続時間を計測するタイマ部を設け、
このタイマ部の計測時間が所定時間を経過すると、該インターホン副親機への呼出が禁止されるようにしたことを特徴とするインターホンシステム。
【発明の詳細な説明】
【０００１】
【発明の属する技術分野】
本発明は、複数のインターホン親機を所有する２世帯住宅などに適用されるインターホンシステム。
【０００２】
【従来の技術】
近時、１つの住宅に生活空間を異にした２家族が同居する形態の２世帯住宅が普及してきている。このような住宅において、複数のインターホン親機やインターホン副親機を所有する場合では、ドアホン子機の呼出ボタンを来訪者が押下すると、すべてのインターホン親機やインターホン副親機に対して呼出を行っていた。
【０００３】
【発明が解決しようとする課題】
しかしながら、２世帯住宅の場合を想定すると、来訪者は親世帯か子世帯のどちらか一方を訪問する目的を持つ場合が多く、来訪者や家人にとって、来訪者があることを両方に通知する必要はないし、子世帯に就寝中の幼児がいる場合など、敢えてその部屋のインターホン副親機に報知してほしくないことがある。しかし、従来のインターホンシステムにおいては、必ずすべてのインターホンに対して報知し、場合によっては来訪者は目的の相手と会話する前に、別の家人に訪問理由等を説明する必要があった。また、前述した就寝中の幼児のみならず、家人の睡眠等を妨げることもあった。
【０００４】
本発明は、上記事由に鑑みて為されたものであり、その目的は、訪問者の来訪を迅速に目的の家人に報知することができるとともに、家人にとって快適且つ利便性の高いインターホンシステムを提供することである。
【０００８】
【課題を解決するための手段】
上記課題を解決するために、請求項１記載のインターホンシステムは、少なくとも１つのドアホン子機と、該ドアホン子機からの呼出に応じて応答する複数のインターホン親機と、該インターホン親機に接続され該インターホン親機からの転送呼出に応じて応答するインターホン副親機とを備え、それぞれのインターホン親機に接続されたインターホン副親機のうち少なくとも１つは、人の存在を検出する人体検出手段を備え、前記インターホン親機は、前記人体検出手段によって人の存在を検出したインターホン副親機へ優先して前記ドアホン子機からの呼出を転送するようにし、前記人体検出手段を備えたインターホン副親機に、人体の静止継続時間を計測するタイマ部を設け、このタイマ部の計測時間が所定時間を経過すると、該インターホン副親機への呼出が禁止されるようにしたことを特徴とするものである。
【００１２】
【発明の実施の形態】
以下、本発明の実施形態について図を参照して説明する。図１は、本発明の第１実施形態に係るインターホンシステムのシステム構成図である。図２は、本発明の第１実施形態に係るインターホンシステムのドアホン子機の機能ブロック図である。図３は、本発明の第１実施形態に係るインターホンシステムのインターホン親機の機能ブロック図である。図４は、本発明の第１実施形態に係るインターホンシステムのインターホン副親機の機能ブロック図である。
【００１３】
本発明の第１実施形態について説明する。このインターホンシステムは、図１に示すように、来訪者の要求に応じて呼出を行うドアホン子機１と、ドアホン子機１からの呼出に応答するインターホン親機２と、インターホン親機２に接続されインターホン親機２からの転送呼出に応じて応答するインターホン副親機３とで構成されている。また、本請求項においては、インターホン親機２とインターホン副親機３をまとめてインターホンとしている。ここでは、親世帯と子世帯からなる２世帯住宅に本インターホンシステムを適用しており、例えばドアホン子機１が玄関に、インターホン親機２が親世帯と子世帯に１台ずつあり、これらのインターホン親機２からそれぞれ３台のインターホン副親機３が接続され、それぞれの世帯の所定の位置に設置されている。なお、本実施形態では、インターホン親機２とインターホン副親機３との接続形態は、各インターホン副親機３が直接インターホン親機２に個別配線される、いわゆるスター型で接続されているが、本発明はこれに限ったものではなく、各インターホン副親機３にアドレスを設けてインターホン親機２から該アドレスに呼出を転送するようなバス型接続やシリアル接続であってもよい。
【００１４】
また、図２に示すように、ドアホン子機１は、複数の呼出ボタンと、ＣＰＵ１２と、信号処理部１３と、マイク部１４と、スピーカ部１５と、インターフェース部１６と、ＲＯＭ１７と、ＲＡＭ１８と、電源部１９とを備えている。ここで、複数の呼出ボタンとは、親世帯側のインターホン親機２ａへつながる親世帯呼出ボタン１１ａと子世帯側のインターホン親機２ｂへつながる子世帯呼出ボタン１１ｂからなるが、必要に応じて追加可能である。ＣＰＵ１２はどの呼出ボタンが操作されたのかを判断し呼出信号を送信すべきインターホン親機２を特定するとともに、各部の制御および監視を所定の手順に従い行うものであり、信号処理部１３はＣＰＵ１２で特定されたインターホン親機２に呼出信号を送信するための処理を行うとともに、インターホン親機２との間で信号の合成や分離や変復調等を行うものであり、マイク部１４はドアホン子機１の前の来訪者の発する音声を取得するものであり、スピーカ部１５はインターホン親機２から送られる音声情報を出力するものであり、インターフェース部１６はインターホン親機２との伝送処理を行うものであり、ＲＯＭ１７はＣＰＵ１２が動作するために必要なプログラムを格納するものであり、ＲＡＭ１８はＣＰＵ１２がワーク領域として使用するものであり、電源部１９は各部に必要な電源を供給するものである。
【００１５】
図３に示すように、インターホン親機２は、通話開始操作部２１と、各種設定部２２と、ＣＰＵ２３と、信号処理部２４と、マイク部２５と、スピーカ部２６と、インターフェース部２７と、ＲＯＭ２８と、ＲＡＭ２９と、電源部３０と、インターフェース部３１とを備えている。ここで、通話開始操作部２１は押しボタンからなり来訪者との通話を開始するためのものであり、各種設定部２２は予め呼出機設定と優先呼出設定と呼出禁止設定を行い該設定を記憶しておくためのものであり、呼出機設定とはドアホン子機１のそれぞれの呼出ボタン１１ａ、１１ｂの押下に対応して呼出を行うインターホン親機２やインターホン副親機３を設定する機能であり、優先呼出設定とはインターホン親機２やインターホン副親機３の呼出の優先順位を設定する機能であり、呼出禁止設定とはドアホン子機１からの呼出を転送しない特定のインターホン親機２やインターホン副親機３を設定する機能である。ＣＰＵ２３は各部の制御および監視を所定の手順に従い行うものであり、信号処理部２４はドアホン子機１との間で信号の合成や分離や変復調等を行うものであり、マイク部２５はインターホン親機２側の操作者の発する音声を取得するものであり、スピーカ部２６はドアホン子機１から送られる音声情報を出力するものであり、インターフェース部２７はドアホン子機１との伝送処理を行うものであり、ＲＯＭ２８はＣＰＵ２３が動作するために必要なプログラムを格納するものであり、ＲＡＭ２９はＣＰＵ２３がワーク領域として使用するものであり、電源部３０は各部に必要な電源を供給するものであり、インターフェース部３１は該インターホン親機２に接続されているインターホン副親機３との接続を切り替える切替機能を備えるとともに、インターホン副親機３との伝送処理を行うものである。なお、各種設定部２２をインターホン副親機３に設け、呼出機設定と優先呼出設定と呼出禁止設定をインターホン副親機３で設定するようにしてもよい。但し、この場合、インターホン副親機３での設定内容をインターホン親機２に転送して記憶させておく必要がある。
【００１６】
また、インターホン副親機３は、図４に示すように、通話開始操作部３２と、センサ部３３と、タイマ部３４と、外部センサ入力部３５と、ＣＰＵ３６と、信号処理部３７と、マイク部３８と、スピーカ部３９と、インターフェース部４０と、ＲＯＭ４１と、ＲＡＭ４２と、電源部４３とを備えている。ここで、通話開始操作部３２は押しボタンからなり来訪者との通話を開始するためのものであり、センサ部３３は人体検出センサからなり、該インターホン副親機３付近の人の動きを検出するものであり、外部センサ入力部３５は信号線等によって該インターホン副親機３に接続された人体検出センサからの人体検出信号が入力されるものであり、ＣＰＵ３６はセンサ部３３や外部センサ入力部３５からの人体検出信号により該インターホン副親機３付近における人の存在の有無を判断したり、タイマ部３４からの時間情報を基に所定時間以上、次の人体検出信号がなければ、その人が就寝中と判断するものである。信号処理部３７はインターホン親機２との間で信号の合成や分離や変復調等を行うものであり、マイク部３８はインターホン副親機３側の操作者の発する音声を取得するものであり、スピーカ部３９はインターホン親機２から送られる音声情報を出力するものであり、インターフェース部４０はインターホン親機２との伝送処理を行うものであり、ＲＯＭ４１はＣＰＵ３６が動作するために必要なプログラムを格納するものであり、ＲＡＭ４２はＣＰＵ３６がワーク領域として使用するものであり、電源部４３は各部に必要な電源を供給するものである。
【００１７】
次に、このインターホンシステムの動作について説明する。予めドアホン子機１の呼出ボタン１１ａ、１１ｂには名前プレート等が取り付けられており、親世帯、子世帯のボタンが識別可能となっている。例えば、本実施形態は、来訪者が子世帯に用事があって来訪した場合について説明する。来訪者が子世帯の世帯主が表示されている子世帯呼出ボタン１１ｂを押下すると、ドアホン子機１のＣＰＵ１２では子世帯呼出ボタンが押下されたことを検出し、送信すべきインターホン親機２（この場合は、インターホン親機２ｂ）に呼出信号を送信する制御を行い、信号処理部１３およびインターフェース部１６を介してインターホン親機２ｂに呼出を行う。このとき、予めインターホン親機２ｂの各種設定部２２の呼出機設定機能において、インターホン親機２ｂに接続されているすべてのインターホン副親機３に呼出を行うように設定していたとすると、インターホン親機２はドアホン子機１からの呼出があった時点ですぐさま該インターホン副親機３に該呼出を転送するため、略同時に子世帯側にあるすべてのインターホン（インターホン親機２ｂとインターホン副親機３）が呼出通知音を報知することになる。従って、来訪者が親世帯か子世帯のどちらか一方だけに訪問する理由を持っている場合、目的外の家人がインターホン親機２またはインターホン副親機３に応答し、来訪者が目的の家人に転送してもらうために訪問の詳細用件を説明する必要がなく、より短時間に目的の家人と直接会話することが可能となる。なお、前述した呼出設定機能は、インターホン親機２ｂに接続されているすべてのインターホン副親機３を設定するだけではなく、特定のインターホン副親機だけを設定し、インターホン親機２と略同時に呼出通知音を報知させるインターホン副親機３を選択設定することができる。
【００１８】
また、このインターホンシステムは、前述した呼出機設定を解除し、インターホン親機２が備えている各種設定部２２の優先呼出設定機能において、インターホン親機２やインターホン副親機３の呼出の優先順位を設定することができる。例えば、インターホン親機２ｂに接続されている３台のインターホン副親機がそれぞれ、台所、居間、寝室に設置されているとすると、各種設定部２２において所定時間インターホン親機２ｂがドアホン子機１からの呼出に応じなかった場合におけるインターホン副親機３への転送順番を設定することができる。仮に、玄関付近にインターホン親機２ｂが設置されていたとすると、転送する順番は比較的存在比率の高い、居間、台所、寝室の順番で設定する。このようにしておくと、インターホン親機２ｂが所定の時間、ドアホン子機１からの呼出に応じなかった場合には、インターホン親機２ｂのＣＰＵ２３が前述した転送順番に基づいてインターホン副親機３に呼出転送信号を送信する制御を行い、インターフェース部３１に備えられた切替機能によって所望のインターホン副親機に転送呼出を順次行うのである。従って、ドアホン子機１からの呼出に対し、ある一定時間インターホン親機２からの応答がない場合には、優先順位に基づいてインターホン副親機へ転送することにより、その部屋にいない、就寝中、あるいは来客中等でインターホン親機やインターホン副親機にある家人が出られないとき、対応可能な家人がいる部屋のインターホン副親機に、ドアホン子機１からの呼出通知音を報知することができ、来訪者に留守であると勘違いさせることがなくなり、対応可能な家人による応答の可能性が向上する。また、来訪者が子世帯に用事があって来訪した場合において、子世帯の家人全員が留守や小さな子供だけで留守番をしているときなどに対応するために、転送順番を設定する際に、インターホン親機２ａ（親世帯側）も組み合わせて設定することもできる。場合に応じてこのようにすれば、より利便性の高いインターホンシステムを構築することができるようになる。
【００１９】
さらに、このインターホンシステムは、インターホン親機２の各種設定部２２の呼出禁止設定機能において、ドアホン子機１からの呼出を転送しない特定のインターホン親機２やインターホン副親機３を設定することができる。例えば、居間で幼児が寝ており、居間に設置されたインターホン副親機３にドアホン子機１からの呼出にともなう呼出通知音を報知したくないとすると、各種設定部２２において居間のインターホン副親機３への転送呼出を禁止することができる。従って、報知したくないインターホン親機やインターホン副親機を選択設定することができ、就寝中の幼児の睡眠を妨げることもなくなる。なお、この設定機能は、前述した呼出機設定がされている場合でも、前述した優先呼出設定がされている場合でもどちらでも設定可能であることは言うまでもない。
【００２０】
また、このインターホンシステムは、インターホン副親機３のセンサ部３３において該インターホン副親機３付近の人の動きを検出し、この人体検出信号を基にＣＰＵ３６において人の存在の有無を判断することができる。なお、センサ部３３は、人の動きを検出するものであればよく、熱源センサや画像処理による検出方法も考えられる。ドアホン子機1からの呼出がまずインターホン親機２ｂだけに行われるようになっている場合について説明する。インターホン親機２ｂが所定の時間、ドアホン子機１からの呼出に応じなかった場合において、ある1台のインターホン副親機のセンサ部３３で人の動きを検出したとすると、このセンサ部３３は人体検出信号を当該インターホン副親機３のＣＰＵ３６に送る。この検出信号を受けたＣＰＵ３６は、人が存在すると判断し、この判断結果をインターホン親機２ｂに信号処理部３７およびインターフェース部４０を介して送信させる。そして、この判断結果を受信したインターホン親機２ｂのＣＰＵ２３は、この人の動きを検出したインターホン副親機３にドアホン子機１からの呼出を転送する制御を行う。従って、インターホン副親機３が設置された部屋に人がいるかどうかを判断し、インターホン親機２が人の動きを検出したインターホン副親機３に優先的に呼出を転送することによって、より早く来訪者の呼出要求に応答できる家人を探し出すことが可能となる。また、前述した優先呼出設定がされている場合においては、設定した優先順位に基づいてインターホン親機２やインターホン副親機３を呼び出す際に、人の動きが検出されないインターホン副親機３をとばして呼び出すことも可能である。
【００２１】
さらに、このインターホンシステムにおいて、インターホン副親機３のタイマ部３４によって人体検出信号が入力されてからの時間をカウントしておけば、例えば、所定時間以上次の人体検出信号がなければ、ＣＰＵ３６においてその人が就寝中と判断する。そして、この判断結果をインターホン親機２ｂに送信することによって、当該インターホン副親機３への転送呼出を禁止するようにする。このようにしておけば、例えば前述した呼出禁止設定機能において、ドアホン子機１からの呼出通知音を報知したくないインターホン親機やインターホン副親機の登録を忘れていたとしても、就寝中の幼児がいる部屋などに設置されたインターホン副親機３に対して、ドアホン子機１からの呼出を転送してしまうことがなくなり、幼児の睡眠を妨げることがなくなる。
【００２２】
なお、本実施形態では、インターホン副親機３に内蔵されたセンサ部３３における検出だけを説明したが、本発明はこれに限ったものではなく、インターホン副親機３付近、例えばその部屋の天井に別途人の動きを検出する外部センサを設け、この外部センサとインターホン副親機３の外部センサ入力部３５を信号線を用いて接続することによって、より精度の高い人体検出が可能となる。
【００２３】
また、来訪者が子世帯に用事があって来訪した場合において、子世帯の家人全員が留守や小さな子供だけで留守番をしているときなどは、人の動きを検出した親世帯側のインターホン副親機３にもインターホン親機２ｂが呼出を転送するようにすることもできる。場合に応じてこのようにすれば、より利便性の高いインターホンシステムを構築することができるようになる。
【００２４】
本発明の第２実施形態について説明する。図５は、本発明の第２実施形態に係るインターホンシステムのインターホン親機の機能ブロック図である。図６は、本発明の第２実施形態に係るインターホンシステムの携帯型インターホン副親機の機能ブロック図である。このインターホンシステムは、インターホン親機２に送受信回路部４４およびアンテナ４５を設けるとともに、各種設定部２２に後述する携帯型インターホン副親機４の設定を行う携帯機設定機能を備えた点と、インターホン副親機３に送受信回路部４６とアンテナ４７を設けて無線機能を搭載した携帯型インターホン副親機４を備えた点において第１実施形態と異なっている。ここで、携帯型インターホン副親機４とは、上述したように無線機能を搭載した専用のワイヤレス副親機でもよいし、携帯電話や携帯ワイヤレスＰＤＡ等であってもよい。なお、携帯型インターホン副親機４は、インターホン副親機３の人体検出手段を備えている必要はない。
【００２５】
本実施形態のインターホンシステムについても、来訪者が子世帯に用事があって来訪した場合について説明する。来訪者が子世帯呼出ボタン１１ｂを押下し、インターホン親機２ｂに呼出を行うと、インターホン親機２ｂは予め各種設定部２２の携帯機設定機能において設定された携帯型インターホン副親機４に対して、前述した他の設定（呼出機設定、優先呼出設定）に優先して呼出を転送する。ドアホン子機１からの呼出を受けたインターホン親機２ｂのＣＰＵ２３は、各種設定部２２の携帯機設定機能で設定した内容に基づいて、送受信回路部４４およびアンテナ４５を介して携帯型インターホン副親機４に最優先で呼出を転送させる。この呼出転送信号をアンテナ４７、送受信回路４６において受信した携帯型インターホン副親機４は、インターホン親機２ｂを介してドアホン子機１の来訪者と通話することが可能となる。従って、来訪者へ応対する可能性が最も高い家人が携帯型インターホン副親機４を持っていれば、その家人が家事等をしていて家中を移動していたとしても、より早く確実に来訪者の呼出要求を家人に報知することができる。
【００２９】
【発明の効果】
以上、説明したように、本発明の請求項１記載のインターホンシステムは、少なくとも１つのドアホン子機と、該ドアホン子機からの呼出に応じて応答する複数のインターホン親機と、該インターホン親機に接続され該インターホン親機からの転送呼出に応じて応答するインターホン副親機とを備え、それぞれのインターホン親機に接続されたインターホン副親機のうち少なくとも１つは、人の存在を検出する人体検出手段を備え、前記インターホン親機は、前記人体検出手段によって人の存在を検出したインターホン副親機へ優先して前記ドアホン子機からの呼出を転送するようにし、前記人体検出手段を備えたインターホン副親機に、人体の静止継続時間を計測するタイマ部を設け、このタイマ部の計測時間が所定時間を経過すると、該インターホン副親機への呼出が禁止されるようにしたので、より早く且つ確実に家人にドアホン子機からの呼出を転送することができるとともに、就寝中の幼児がいる部屋等に設置されたインターホン親機に対して、ドアホン子機からの呼出音通知を報知することがなくなり、幼児の睡眠を妨げることがなくなる。
【図面の簡単な説明】
【図１】本発明の第１実施形態に係るインターホンシステムのシステム構成図である。
【図２】本発明の第１実施形態に係るインターホンシステムのドアホン子機の機能ブロック図である。
【図３】本発明の第１実施形態に係るインターホンシステムのインターホン親機の機能ブロック図である。
【図４】本発明の第１実施形態に係るインターホンシステムのインターホン副親機の機能ブロック図である。
【図５】本発明の第２実施形態に係るインターホンシステムのインターホン親機の機能ブロック図である。
【図６】本発明の第２実施形態に係るインターホンシステムの携帯型インターホン副親機の機能ブロック図である。
【符号の説明】
１  ドアホン子機
２  インターホン親機
３  インターホン副親機
４  携帯型インターホン副親機
１１ａ  親世帯呼出ボタン
１１ｂ  子世帯呼出ボタン
２２  各種設定部
３３  センサ部
３４  タイマ部
３５  外部センサ入力部
４４、４６  送受信回路部
４５、４７  アンテナ
【図１】
0004729828.tif 000002
【図２】
0004729828.tif 000003
【図３】
0004729828.tif 000004
【図４】
0004729828.tif 000005
【図５】
0004729828.tif 000006
【図６】
0004729828.tif 000007